(57)【要約】【課題】光記録媒体に、記録方法を調整するための記録条件に関する判断情報が記録されているため、光記録装置が最適な記録条件を設定でき、好適な記録が可能となる光記録媒体の提供。【解決手段】（１）基板上に設けられた記録層を有し、レーザ光の照射により記録層に光学的性質の変化を生じて情報が記録される光記録媒体であって、予めその記録条件に関する判断情報が、レーザ光照射により読み取り可能な状態で記録されており、該判断情報は、特定の信号パターンを記録したときの記録特性に関するものである光記録媒体。（２）特定の信号パターンが、情報記録に用いる最小記録マークを含む（１）に記載の光記録媒体。（３）特定の信号パターンが、情報記録に用いる最小記録マークの２〜８倍の長いパルスを含む（２）に記載の光記録媒体。【選択図】図１
2008234737.tif 000002
【特許請求の範囲】
【請求項１】
基板上に設けられた記録層を有し、レーザ光の照射により記録層に光学的性質の変化を生じて情報が記録される光記録媒体であって、予めその記録条件に関する判断情報が、レーザ光照射により読み取り可能な状態で記録されており、該判断情報は、特定の信号パターンを記録したときの記録特性に関するものであることを特徴とする光記録媒体。
【請求項２】
特定の信号パターンが、情報記録に用いる最小記録マークを含むことを特徴とする請求項１に記載の光記録媒体。
【請求項３】
記録特性が、最小記録マークを記録する際に、記録マークの長さばらつきが最小になるレーザ光照射パルス形状及び記録パワーであることを特徴とする請求項２に記載の光記録媒体。
【請求項４】
記録特性が、記録マークの長さばらつきが最小になる最小記録マークと最小スペースの信号振幅の中心レベルであることを特徴とする請求項２に記載の光記録媒体。
【請求項５】
特定の信号パターンが、情報記録に用いる最小記録マークの２〜８倍の長いパルスを含むことを特徴とする請求項２に記載の光記録媒体。
【請求項６】
記録特性が、記録マークの長さばらつきが最小になる最小記録マークと最小スペースの信号振幅の中心レベルと前記２〜８倍の長いパルスの中心レベル、及び／又はそれぞれの中心レベルを現す特性であることを特徴とする請求項２に記載の光記録媒体。
【請求項７】
記録特性が、記録パルスの長さと記録マークのばらつき並びに最小記録マーク及びスペースと大きい記録マーク及びスペースの信号ばらつきであることを特徴とする請求項２〜４の何れかに記載の光記録媒体。
【請求項８】
記録条件に関する判断情報が、記録用案内溝の形状として記録されていることを特徴とする請求項１〜７の何れかに記載の光記録媒体。
【発明の詳細な説明】
【技術分野】
【０００１】
本発明は光記録媒体、特に記録可能なコンパクトディスク（ＣＤ−Ｒ／ＲＷ）及びＤＶＤ−Ｒ／ＲＷ、ＤＶＤ＋Ｒ／＋ＲＷなどの光記録媒体に関するものである。
【背景技術】
【０００２】
情報記録媒体の記憶容量は、年々増加の一途をたどり、そのため、様々な方法が検討されている。光記録媒体（光ディスク）では、その１つとしてデータ面を複数持つ（多層の記録層を持つ）光記録媒体が検討されている。
一方、光記録媒体には多数の記録層材料があり、それぞれに適した記録方法の調整が必要となっている。しかしながら、記録装置の開発において記録方法の調整に十分な時間と人員を確保できていないのが現状である。そのため、調整のされない光記録媒体は適切な記録が困難であり、更に記録品質の劣化のために記録及び再生ができないことがあった。
この問題を改善するために、多くの光記録媒体の規格では予め記録方法の情報を媒体に記録することになっている。記録されている記録方法は、基準機による記録パルス形状の情報が殆どである。しかし、これらの情報は基準機での最適値ではあるが、調整の基準や過程が不明確であるため各記録装置メーカーが用いることは難しい。
【発明の開示】
【発明が解決しようとする課題】
【０００３】
本発明は、光記録媒体に、記録方法を調整するための記録条件に関する判断情報が記録されているため、光記録装置が最適な記録条件を設定でき、好適な記録が可能となる光記録媒体の提供を目的とする。
【課題を解決するための手段】
【０００４】
本発明者らは、光記録媒体は、その製造方法によりサーボ特性や記録方法が異なっていることに着目し、鋭意検討を重ねた結果、上記課題は次の１）〜８）の発明によって解決されることを見出した。
１）  基板上に設けられた記録層を有し、レーザ光の照射により記録層に光学的性質の変化を生じて情報が記録される光記録媒体であって、予めその記録条件に関する判断情報が、レーザ光照射により読み取り可能な状態で記録されており、該判断情報は、特定の信号パターンを記録したときの記録特性に関するものであることを特徴とする光記録媒体。
２）  特定の信号パターンが、情報記録に用いる最小記録マークを含むことを特徴とする１）に記載の光記録媒体。
３）  記録特性が、最小記録マークを記録する際に、記録マークの長さばらつきが最小になるレーザ光照射パルス形状及び記録パワーであることを特徴とする２）に記載の光記録媒体。
４）  記録特性が、記録マークの長さばらつきが最小になる最小記録マークと最小スペースの信号振幅の中心レベルであることを特徴とする２）に記載の光記録媒体。
５）  特定の信号パターンが、情報記録に用いる最小記録マークの２〜８倍の長いパルスを含むことを特徴とする２）に記載の光記録媒体。
６）  記録特性が、記録マークの長さばらつきが最小になる最小記録マークと最小スペースの信号振幅の中心レベルと前記２〜８倍の長いパルスの中心レベル、及び／又はそれぞれの中心レベルを現す特性であることを特徴とする２）に記載の光記録媒体。
７）  記録特性が、記録パルスの長さと記録マークのばらつき並びに最小記録マーク及びスペースと大きい記録マーク及びスペースの信号ばらつきであることを特徴とする２）〜４）の何れかに記載の光記録媒体。
８）  記録条件に関する判断情報が、記録用案内溝の形状として記録されていることを特徴とする１）〜７）の何れかに記載の光記録媒体。
【０００５】
以下、上記本発明について詳しく説明する。
本発明に係る光記録媒体は、基板上に設けられた記録層を有し、レーザ光の照射により記録層に光学的性質の変化を生じさせて情報の記録を行う光記録媒体において、予め、当該光記録媒体の記録条件に関する判断情報がレーザ光照射により読み取り可能に記録されていることを特徴とするものである。
本発明でいう光記録媒体は、例えばＤＶＤ−ＲＡＭ・ＷＯ、ＤＶＤ−Ｒ、ＤＶＤ＋ＲとＤＶＤ−ＲＡＭ、ＤＶＤ−ＲＷ、ＤＶＤ＋ＲＷなどの、書き込みが可能な（記録可能な）ＤＶＤ（Ｄｉｇｉｔａｌ  Ｖｅｒｓａｔｉｌｅ  Ｄｉｓｃ）である。前者のＤＶＤ−ＲＡＭ・ＷＯ、ＤＶＤ−Ｒ、ＤＶＤ＋Ｒは、１回だけ書き込みが可能なＤＶＤである（なお、ＤＶＤ  Ｗｒｉｔｅ  Ｏｎｃｅとも言われている）。また、後者のＤＶＤ−ＲＡＭ、ＤＶＤ−ＲＷ、ＤＶＤ＋ＲＷは、複数回の書き込みが可能なＤＶＤである。
【０００６】
記録層と基板の間には下引き層又は保護層を設けても良く、機能向上のため各層を２層以上の積層構造とした構成でも良い。その構成例を図１、図２に示す。
図１の光記録媒体１００は、記録光入射側の第１基板１０１／Ｌ０記録層１０２／Ｌ０反射層１０３／接着層（図示せず）／Ｌ１記録層１０５／Ｌ１反射層１０６／第２基板（保護基板）１０７からなる。
図２の光記録媒体２００は、記録光入射側の第１基板２０１／Ｌ０記録層２０２／Ｌ０反射層２０３／Ｌ１記録用案内溝形成層２０４／Ｌ１記録層２０５／Ｌ１反射層２０６／第２基板（保護基板）２０７からなる。なお、光記録媒体１００と２００の各層の構成材料は同じものでよい。
【０００７】
第１基板１０１、２０１は、光記録媒体が第１基板側から記録再生を行なうものである場合には使用レーザに対して透明でなければならないが、第２基板側から記録再生を行なうものである場合には透明である必要はない。
基板材料としては、例えばポリエステル樹脂、アクリル樹脂、ポリアミド樹脂、ポリカーボネート樹脂、ポリオレフィン樹脂、フェノール樹脂、エポキシ樹脂、ポリイミド樹脂などのプラスチック、ガラス、セラミック、金属などを用いることができる。なお、基板の表面にはトラッキング用の案内溝や案内ピット、更にアドレス信号などのプリフォーマットが形成されていても良い。
【０００８】
記録層１０２、１０５、２０２、２０５は、レーザ光の照射により何らかの光学的変化を生じ、その変化により情報を記録するものであり、その材料としては有機色素を主成分とするものが好ましい。ここで主成分とは、記録再生に必要十分な量の有機色素を含有することを意味するが、通常は、必要に応じて適宜添加する少量の添加剤を除き、有機色素のみを用いる。なお、記録層は有機色素層単層でも、反射率を高めるため有機色素層と反射層との積層でも良い。
有機色素の例としては、アゾ系、ホルマザン系、ジピロメテン系、（ポリ）メチン系、ナフタロシアニン系、フタロシアニン系、テトラアザポルフィリン系、スクアリリウム系、クロコニウム系、ピリリウム系、ナフトキノン系、アントラキノン系（インダンスレン系）、キサンテン系、トリフェニルメタン系、アズレン系、テトラヒドロコリン系、フェナンスレン系、トリフェノチアジン系色素、或いはそれらの金属錯体などが挙げられる。
中でも好ましいのは、アゾ（金属キレート）色素、ホルマザン（金属キレート）色素、スクアリリウム（金属キレート）色素、ジピロメテン（金属キレート）色素、トリメチンシアニン色素、テトラアザポルフィリン色素である。
上記有機色素は、熱分解特性として分解開始温度１００〜３６０℃のものが好ましく、特に１００〜３５０℃のものが好ましい。分解開始温度が３６０℃を越えると、記録時のピット形成がうまく行われずジッタ特性が悪くなる。また、１００℃未満では、ディスクの保存安定性が悪化する。
【０００９】
上記有機色素には、光学特性、記録感度、信号特性などの向上の目的で他の有機色素、金属、金属化合物を混合してもよく、或いは色素層と他の有機色素、金属、金属化合物からなる層を積層しても良い。
このような金属、金属化合物の例としては、Ｉｎ、Ｔｅ、Ｂｉ、Ｓｅ、Ｓｂ、Ｇｅ、Ｓｎ、Ａｌ、Ｂｅ、ＴｅＯ２、ＳｎＯ、Ａｓ、Ｃｄなどが挙げられ、それぞれを分散混合するか或いは積層して用いることができる。
更に、上記染料中に高分子材料、例えばアイオノマー樹脂、ポリアミド樹脂、ビニル系樹脂、天然高分子、シリコーン、液状ゴムなどの種々の材料、或いはシランカップリング剤などを分散混合しても良いし、特性改良の目的で安定剤（例えば遷移金属錯体）、分散剤、難燃剤、滑剤、帯電防止剤、界面活性剤、可塑剤などを一緒に用いることも出来る。
【００１０】
記録層１０２、１０５、２０２、２０５の形成は、蒸着、スパッタリング、ＣＶＤ、溶剤塗布などの通常の手段によって行うことができる。塗布法を用いる場合には、上記染料などを有機溶剤に溶解し、スプレー、ローラーコーティグ、ディッピング、スピンコーティングなどの慣用のコーティング法によって行うことが出来る。
用いられる有機溶媒としては一般にメタノール、エタノール、イソプロパノールなどのアルコール類；アセトン、メチルエチルケトン、シクロヘキサノンなどのケトン類；Ｎ，Ｎ−ジメチルホルムアミド、Ｎ，Ｎ−ジメチルアセトアミドなどのアミド類；ジメチルスルホキシドなどのスルホキシド類；テトラヒドロフラン、ジオキサン、ジエチルエーテル、エチレングリコールモノメチルエーテルなどのエーテル類；酢酸メチル、酢酸エチルなどのエステル類；クロロホルム、塩化メチレン、ジクロルエタン、四塩化炭素、トリクロルエタンなどの脂肪族ハロゲン化炭化水素類；ベンゼン、キシレン、モノクロルベンゼン、ジクロルベンゼンなどの芳香族類；メトキシエタノール、エトキシエタノールなどのセロソルブ類；ヘキサン、ペンタン、シクロヘキサン、メチルシクロヘキサンなどの炭化水素類などが挙げられる。
記録層１０２、１０５、２０２、２０５の膜厚は、１０ｎｍ（１００Å）〜１０μｍ、好ましくは２０〜２００ｎｍ（２００〜２０００Å）が適当である。
【００１１】
反射層１０３、１０６、２０３、２０６の材料としては、Ａｕ、Ａｇ、Ｃｒ、Ｎｉ、Ａｌ、Ｆｅ、Ｓｎなどの単体で高反射率の得られる腐食され難い金属や半金属が挙げられるが、反射率や生産性の点からＡｕ、Ａｇ、Ａｌが好ましい。また、これらの金属や半金属は単独で使用しても２種以上の合金として使用しても良い。
反射層の膜厚は、５〜５００ｎｍ（５０〜５０００Å）、好ましくは、１０〜３００ｎｍ（１００〜３０００Å）である。
反射層の形成法としては蒸着、スッパタリングなどが挙げられる。
接着層の材料としては、２枚の記録媒体（Ｌ０層とＬ１層）を接着できる材料なら何でもよく、生産性を考慮すると紫外線硬化型接着剤又はホットメルト型接着剤が好ましい。また、Ｌ１記録用案内溝形成層２０４としては紫外線硬化型樹脂が好適である。この場合、Ｌ１記録用案内溝を形成するスタンパの剥離に適した材料が好適である。
また、Ｌ０反射層１０２、２０２への腐食を抑えるため下引き層を設けることも好適である。
【００１２】
下引き層は、（１）接着性の向上、（２）水又はガスなどのバリアー、（３）記録層の保存安定性の向上、（４）反射率の向上、（５）溶剤からの基板の保護、（６）案内溝、案内ピット、プレフォーマットの形成などの目的で設けられる。
前記（１）の目的に対しては、アイオノマー樹脂、ポリアミド樹脂、ビニル樹脂、天然樹脂、天然高分子、シリコーン、液状ゴムなどの種々の高分子化合物、又はシランカップリング剤などを用いることができる。前記（２）及び（３）の目的に対しては、上記高分子材料以外に、ＳｉＯ、ＭｇＦ、ＳｉＯ２、ＴｉＯ、ＺｎＯ、ＴｉＮ、ＳｉＮなどの無機化合物を用いることができ、更に、Ｚｎ、Ｃｕ、Ｎｉ、Ｃｒ、Ｇｅ、Ｓｅ、Ａｕ、Ａｇ、Ａｌなどの金属又は半金属を用いることができる。前記（４）の目的に対しては、Ａｌ、Ａｕ、Ａｇ等の金属や、メチン染料、キサンテン系染料などからなる金属光沢を有する有機薄膜を用いることができる。前記（５）及び（６）の目的に対しては、紫外線硬化樹脂、熱硬化樹脂、熱可塑性樹脂などを用いることができる。
下引き層の膜厚は、０．０１〜３０μｍ、好ましくは、０．０５〜１０μｍが適当である。
【００１３】
保護層及び基板面ハードコート層は、（１）記録層（反射吸収層）の傷、ホコリ、汚れ等からの保護、（２）記録層（反射吸収層）の保存安定性の向上、（３）反射率の向上等を目的として使用される。これらの目的に対しては、前記下引き層と同じ材料を用いることができる。また、ポリメチルアクリレート樹脂、ポリカーボネート樹脂、エポキシ樹脂、ポリスチレン樹脂、ポリエステル樹脂、セルロース樹脂、脂肪族炭化水素樹脂、天然ゴム、スチレンブタジエン樹脂、クロロプレンゴム、ワックス、アルキッド樹脂、乾性油、ロジン等の熱軟化性、熱溶融性樹脂などの有機材料を用いることもできる。最も好ましいのは生産性に優れた紫外線硬化樹脂である。
保護層又は基板面ハードコート層の膜厚は、０．０１〜３０μｍ、好ましくは０．０５〜１０μｍである。
【００１４】
上記下引き層、保護層及び基板面ハードコート層には、記録層の場合と同様に安定剤、分散剤、難燃剤、滑剤、帯電防止剤、界面活性剤、可塑剤等を含有させることができる。
第２基板１０７、２０７は、該第２基板（保護基板）側からレーザ光を照射する場合には、使用レーザ光に対して透明でなければならないが、単なる保護板として用いる場合には透明でなくてもよい。使用可能な第２基板材料は前述した基板材料と全く同じであり、ポリエステル樹脂、アクリル樹脂、ポリアミド樹脂、ポリカーボネート樹脂、ポリオレフィン樹脂、フェノール樹脂、エポキシ樹脂、ポリイミド樹脂などのプラスチック、又はガラス、セラミック、金属などを用いることができる。また、第１基板１０１、２０１と同じ材料を用いることによりコストを低減することができる。
【００１５】
上記図１と図２の光記録媒体は、一般に異なる製造方法で作製される。
光記録媒体の製造方法には、大きく分けて２つの方法がある。
第１の方法は、第１基板１０１上にＬ０記録層１０２及びＬ０反射層１０３を積層し、第２基板１０７上にＬ１反射層１０６及びＬ１記録層１０５を積層した後、両者を接着層で貼り合わ合わせる逆積層法である。図１の光記録媒体はこの方法で作製される。
第２の方法は、第１基板２０１上にＬ０記録層２０２及びＬ０反射層２０３を積層し、その上にＬ１記録用案内溝形成層２０４を積層して該案内溝を形成し、その上にＬ１記録層２０５及びＬ１反射層２０６を積層した後、第２基板２０７を接着する２Ｐ（フォトポリマ）法である。図２の光記録媒体はこの方法で作製される。
この製造方法の違いは、光記録媒体の記録条件に関する判断情報の一つとなる。
【００１６】
この光記録媒体の記録条件に関する判断情報は、記録層に情報を記録するときにレーザ光を走査させる案内溝（第１基板１０１及び／又は第２基板１０７の記録用案内溝、第１基板２０１及び／又はＬ１記録用案内溝形成層２０４の記録用案内溝）の蛇行として記録されることが好ましい。これにより、該判断情報の大容量化を図ることができる。また、該判断情報は、位相変調された情報として記録されることが好ましい。これにより、後述の記録装置において、記録層への記録時に記録用案内溝を走査して読み取られる他の情報とともに、光記録媒体の記録条件に関する判断情報を取得することができる。
以上のように、光記録媒体の記録条件に関する判断情報の識別方法として、記録用案内溝に情報を付加することにより、記録装置にのみ情報が読み取れ、再生装置の互換性を考慮する必要がなくなる。また、高周波数の信号を位相変調法で記録することにより、記録密度を向上させることができる。
【００１７】
現在規格化されている光記録媒体の多くは、光記録媒体の記録条件として、標準装置によって最適化された記録パルス形状及び／又は記録パワーを用いることが一般的である。しかしながら、現在市販されている記録装置の中で、この最適化された記録パワー及び／又は記録パルス形状を用いて十分な記録特性が得られ、これらの情報を用いて十分満足できる記録を行うことができるものは僅かである。
その原因として、記録パルス形状及び／又は記録パワーの最適化は、改善すべき特性の優先順位や手法により結果が異なることが挙げられる。また各記録装置の設計において、記録再生系の設計思想の違いから改善すべき特性の優先順位や最適化の手法は異なる。
つまり、標準装置の設計思想と各記録装置の設計思想の違いが、求める記録パルス形状及び記録パワーの違いを生じるため、標準装置で最適化された記録パルス形状及び／又は記録パワーを直接及び又は間接的に用いても十分満足できる記録はできない。
【００１８】
本発明は、標準装置による記録パルス形状及び／又は記録パワーの最適化よりも、標準装置で記録した結果得られる実際の特性を優先し、記録パルス形状及び／又は記録パワーの設計思想を排除して、より各記録装置が利用しやすい記録条件に関する判断情報を光記録媒体に記録しておくものである。
採用する記録特性としては、最も出現率の高い最小記録マーク及び最小スペースを再生したときの長さ及び／又は振幅の情報を用いることが最適である。
また、高出力時の発光波形の歪みを除いた記録系では、最小記録マーク及び最小スペースのみの記録パターンを用いた場合、マーク形成のための照射パワーを縦軸に、記録マークの長さを横軸にとると、長さばらつきがあるため、下に凸なカーブが描かれる。
したがって、記録マークの長さばらつきが最小になる照射パワー並びに記録マーク及びスペースの信号パターンを記録した記録特性に関する情報を光記録媒体に記録しておくことが好ましい。
各記録装置は、この情報を元に標準装置との照射パワーの相関を取り、最小記録マークを記録するパワーと記録パルスを設定することができる。
【００１９】
また、高パワー記録においては大きい記録マーク形成時の熱干渉により最小記録マークに影響を及ぼす。この熱干渉の効果を記録パルス形状及び記録パワーの設計に活用するために光記録媒体に記録しておく記録特性として、最小記録マークと大きい記録マークを記録する信号パターンで記録したときの記録特性を用いることが好適である。
大きい記録マークの長さは、短いと熱干渉の影響が小さく、長すぎると再生時の同期に問題が出る可能性があるため、最小記録マークの２倍〜８倍が好適である。また、記録マークを形成する記録パルスの長さが長いと熱干渉が大きくなる。
このとき光記録媒体には、記録特性として、記録パルスの長さと記録マークのばらつき並びに最小記録マーク及びスペースと大きい記録マーク及びスペースの信号ばらつきを記録することが好適である。また記録マークを形成する記録パルスの長さを複数設定して、それぞれの記録パルスの長さと記録マークのばらつき並びに最小記録マーク及びスペースと大きい記録マーク及びスペースの信号ばらつきを記録することが好適である。
以上、２層の記録層を有する光記録媒体を例として説明したが、単層或いは３層以上の記録層を有する光記録媒体においても、記録用案内溝と記録層の形成方法に本質的な差はなく、同様に本発明を適用できる。
【００２０】
本発明の光記録媒体は、図３に示すような記録装置により情報の記録再生が行われる。
図３は、光記録媒体の記録装置について、その要部構成の一例を示す機能ブロック図である。図において、１００（２００）は光記録媒体、２はスピンドルモータ、３は光ピックアップ、４はモータドライバ、５はリードアンプ、６はサーボ手段、７はＤＶＤデコーダ、８はＡＤＩＰデコーダ、９はレーザコントローラ、１０はＤＶＤエンコーダ、１１はＤＶＤ−ＲＯＭエンコーダ、１２はバッファＲＡＭ、１３はバッファマネージャ、１４はＤＶＤ−ＲＯＭデコーダ、１５はＡＴＡＰＩ／ＳＣＳＩインターフェース、１６はＤ／Ａコンバータ、１７はＲＯＭ、１８はＣＰＵ、１９はＲＡＭ、２０はパルスジェネレータを示し、ＬＢはレーザ光、Ａｕｄｉｏはオーディオ出力信号を示す。
この図３において、矢印はデータが主に流れる方向を示しており、また、図を簡略化するために、図３の各ブロックを制御するＣＰＵ１８には、太線のみを付けて各ブロックとの接続を省略している。ＲＯＭ１７には、ＣＰＵ１８により解読可能なコードで記述された制御プログラムが格納されている。なお、光記録媒体の記録装置の電源がオン状態になると、前記制御プログラムは不図示のメインメモリにロードされ、前記ＣＰＵ１８はその制御プログラムに従って上記各部の動作を制御すると共に、制御に必要なデータ等を一時的にＲＡＭ１９に保存する。光記録媒体の記録装置の構成と動作は、次のとおりである。
【００２１】
光記録媒体１００（２００）は、スピンドルモータ２によって回転駆動される。このスピンドルモータ２は、モータドライバ４とサーボ手段５により、線速度又は角速度が一定になるように制御される。この線速度又は角速度は階段的に変更することが可能である。
光ピックアップ３は、図示されない半導体レーザ、光学系、フォーカスアクチュエータ、トラックアクチュエータ、受光素子及びポジションセンサを内蔵しており、レーザ光ＬＢを光記録媒体１００（２００）に照射する。また、この光ピックアップ３は、シークモータによってスレッジ方向への移動が可能である。これらのフォーカスアクチュエータ、トラックアクチュエータ、シークモータは、受光素子とポジションセンサから得られる信号に基いて、モータドライバ４とサーボ手段５により、レーザ光ＬＢのスポットが光記録媒体１００（２００）上の目的の場所に位置するように制御される。
【００２２】
そして、リード時には、光ピックアップ３によって得られた再生信号が、リードアンプ５で増幅されて２値化される。リードアンプ内では主に最長信号振幅を規格化する過程と最記録マーク信号を増幅する波形等価機能を経て２値化される。入力された２値化データは、このＤＶＤデコーダ７において、８／１６復調される。なお、記録データは、８ビットずつ纏められて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
復調されたデータは、デインターリーブとエラー訂正の処理が行われる。その後、このデータは、ＤＶＤ−ＲＯＭデコーダ１４へ入力され、データの信頼性を高めるために、更に、エラー訂正の処理が行われる。このように２回のエラー訂正の処理が行われたデータは、バッファマネージャ１３によって一旦バッファＲＡＭ１２に蓄えられ、セクタデータとして揃った状態で、ＡＴＡＰＩ／ＳＣＳＩインターフェース１５を介して、図示しないホストコンピュータへ一気に転送される。なお、音楽データの場合には、ＤＶＤデコーダ７から出力されたデータが、Ｄ／Ａコンバータ１６へ入力され、アナログのオーディオ出力信号Ａｕｄｉｏとして取り出される。
【００２３】
また、ライト時には、ＡＴＡＰＩ／ＳＣＳＩインターフェース１５を通して、ホストコンピュータから送られてきたデータは、バッファマネージャ１３によって一旦バッファＲＡＭ１２に蓄えられる。その後、ライト動作が開始されるが、この場合には、その前にレーザスポットを書き込み開始地点に位置させる必要がある。この地点は、ＤＶＤ＋ＲＷ／＋Ｒでは、予め光記録媒体１００（２００）上にトラックの蛇行により刻まれているウォブル信号によって求められる。
なお、上記地点は、ＤＶＤ−ＲＷ／−Ｒでは、ウォブル信号の代わりにランドプリピット、ＤＶＤ−ＲＡＭ／ＲＡＭ・ＷＯではプリピットによって求められる。
【００２４】
ＤＶＤ＋ＲＷ／＋Ｒ媒体におけるウォブル信号には、ＡＤＩＰ（ＡＤｒｅｓｓ  Ｉｎ  Ｐｒｅ−ｇｒｏｏｖｅ）と呼ばれるアドレス情報が含まれており、この情報が、ＡＤＩＰデコーダ８によって取り出される。また、このＡＤＩＰデコーダ８によって生成される同期信号は、ＤＶＤエンコーダ１０へ入力され、光記録媒体１００（２００）上の正確な位置へのデータの書き込みを可能にしている。バッファＲＡＭ１２のデータは、ＤＶＤ−ＲＯＭエンコーダ１１やＤＶＤエンコーダ１０において、エラー訂正コードの付加や、インターリーブが行われ記録用の信号として８／１６変換される。
記録用に変調された信号は、パルスジェネレータ２０において光記録媒体に適した記録光波形に変換され、レーザコントローラ９、光ピックアップ３を介して、光記録媒体１００（２００）に記録される。光ピックアップの効率の補正には記録光の回折光を直接に受光素子により測定し、そのパワー変動によりレーザーコントローラ９の記録パワーを変更することが可能である。光記録媒体に対する記録パワーの補正方法として記録後発光時の反射光の変動から、光記録媒体に対する記録パワーの効率を測定しレーザーコントローラ９の記録パワーを補正することが可能である。アドレスの制御方法はランドプリピットやプリピットからアドレス情報を得る構成であっても良い。
【００２５】
図４は、この光記録媒体の記録装置を使用した情報処理装置の概略図である。
情報処理装置５０は、光ディスク装置（記録装置）５１、主制御装置５２、インターフェース５３、記録装置（ＨＤＤ）５４、入力装置５５及び表示装置５６等を備えている。
主制御装置５２は、マイクロコンピュータ、メインメモリ（何れも不図示）などを含んで構成され、情報処理装置５０の全体を制御する。
インターフェース５３は、光記録媒体の記録装置５１との双方向の通信インターフェースであり、ＡＴＡＰＩ及びＳＣＳＩ等の標準インターフェースに準拠している。またインターフェース５３は、光記録媒体の記録装置のインターフェース１５と接続されている。なお、各インターフェース間の接続形態は、通信ケーブル（例えばＳＣＳＩケーブル）などの通信線を用いたケーブル接続だけでなく、赤外線などを利用したワイヤレス接続であっても良い。
【００２６】
記録装置（ハード記録媒体ＨＤＤ）５４には、主制御装置のマイクロコンピュータで解読可能なコードで記述されたプログラムが格納されている。なお、情報処理装置の駆動電源がオン状態になると、上記プログラムは主制御装置のメインメモリにロードされる。
表示装置５６は、例えばＣＲＴ、液晶ディスプレイ（ＬＣＤ）及びプラズマディスプレイパネル（ＰＤＰ）などの表示部（図示省略）を備え、主制御装置からの各種情報を表示する。
入力装置５５は、例えばキーボード、マウス、ポインティングデバイスなどのうち少なくとも１つの入力媒体（図示省略）を備え、ユーザから入力された各種情報を主制御装置に通知する。なお、入力媒体からの情報はワイヤレス方式で入力されても良い。また表示装置と入力装置とが一体化したものとして、例えばタッチパネル付きＣＲＴなどがある。
また、情報処理装置はオペレーティングシステム（以下「ＯＳ」という）を搭載している。そして、情報処理装置を構成する全てのデバイスはＯＳによって管理されているものとする。
【００２７】
本発明の光記録媒体に対して有効な記録装置の例としては、記録装置の特性と光記録媒体の記録特性情報から、それぞれの光記録媒体に適したストラテジを算出する関係式を予め有しており、光記録媒体に記録された記録特性情報を読み出し、該関係式から光記録媒体に適した記録条件を算出する機能を有するものである。
例えば、図３の記録再生装置を用いた場合、測定された条件に合わせて記録波形を算出する機能をＣＰＵ１８に有し、記録波形を変更して記録可能な機能をパルスジェネレータ２０に有すればよい。記録波形変形の条件としてはレーザーコントローラ９の記録パワーの設定値が好適である。
また、光記録媒体のメーカー情報、バージョン情報などから最適化された設定がある場合にはその設定条件を用い、未知の光記録媒体に関してのみ製造方法に関する情報を用いるようにすれば、各光記録媒体に対して好適な記録方法を設定できる。
【００２８】
本発明の光記録媒体に対して有効な記録装置は、一般的なＣＤ−Ｒ／ＲＷドライブ、ＤＶＤ−Ｒ、ＤＶＤ−ＲＷ、ＤＶＤ＋ＲＷドライブにおける光記録媒体への記録機能に加えて、記録波形を変更する条件を評価する機能及び記録波形を変更して記録を続行する機能を有する必要がある。
図５に、光記録媒体への記録条件（サーボパラメータ、記録ストラテジパラメータ）の判断手順の例を示す。
即ち、光記録媒体の対応記録速度、種類などの情報が既知か（ドライブが認識するか）を判断するステップ（Ｓ１）と、光記録媒体のメーカー情報やバージョン情報が既知かを判断するステップ（Ｓ２）を経て、未知の場合には、光記録媒体の記録特性情報から記録方法を算出して、光記録媒体ごとの記録条件の設定する。
【発明の効果】
【００２９】
本発明によれば、光記録媒体に、記録方法を調整するための記録条件に関する判断情報が記録されているため、光記録装置が最適な記録条件を設定でき、好適な記録が可能となる光記録媒体を提供できる。
【実施例】
【００３０】
以下、実施例を示して本発明を更に具体的に説明するが、本発明はこれらの実施例により限定されるものではない。
【００３１】
実施例１
一層タイプのＤＶＤ＋Ｒディスクを用い、図６に示した情報形式で、光記録媒体の製造方法に関する情報（製造情報）を、記録用案内溝の蛇行として刻み込まれた信号の形式で記載した。具体的には、サンプルとして最小記録マークである３Ｔ記録マークのみ記録したときの記録特性を記録用案内溝に記録した光記録媒体を示す。
記録装置には予め光記録媒体に記録してある標準機の特性情報との相関を取り、３Ｔ記録マークを記録するパルス長を算出するパラメータを記録してある。
その結果、３Ｔ記録マークをジッタ５．６ｓｅｃ程度の良好な記録品質で記録することができた。
【００３２】
実施例２
一層タイプのＤＶＤ＋Ｒディスクを用い、サンプルとして３Ｔ記録マークと１１Ｔ記録マーク（大きい記録マーク）を記録する記録パターンを用いたときの記録特性を記録した。記録特性としては記録パルスの長さを３種類と、それぞれの記録パルスの長さにおける熱干渉が大きくなる記録パワー、及び１１Ｔ記録マークとスペースの信号レベルの平均と３Ｔ記録マークとスペースの信号レベルの平均から算出されるアシンメトリを記録した。
３Ｔ記録マークを良好に記録できる記録パワー及び記録パルスから、３Ｔ記録マークを良好に記録できるエネルギーを算出し、１１Ｔ記録マークとの熱干渉の情報から熱干渉に好適な１１Ｔ記録マークの長さと３Ｔ記録マークの長さを算出し、３Ｔ記録マークの長さと前記３Ｔ記録マークのエネルギーから記録パワーを算出した。
その結果、全体のジッタを８．６％に抑えることができた。
【図面の簡単な説明】
【００３３】
【図１】本発明の光記録媒体の構成例を示す図。
【図２】本発明の光記録媒体の他の構成例を示す図。
【図３】光記録媒体の記録装置の説明図。
【図４】図３の記録装置を使用した情報処理装置の概略図。
【符号の説明】
【００３４】
１００  光記録媒体
１０１  第１基板
１０２  Ｌ０記録層
１０３  Ｌ０反射層
１０５  Ｌ１記録層
１０６  Ｌ１反射層
１０７  第２基板（保護基板）
２００  光記録媒体
２０１  第１基板
２０２  Ｌ０記録層
２０３  Ｌ０反射層
２０４  Ｌ１記録用案内溝形成層
２０５  Ｌ１記録層
２０６  Ｌ１反射層
２０７  第２基板（保護基板）
【図１】
2008234737.tif 000003
【図２】
2008234737.tif 000004
【図３】
2008234737.tif 000005
【図４】
2008234737.tif 000006